(57)【要約】【課題】構成が簡単で、また作製に手間のかからない光源装置及びその光源装置を用いた照明装置の提供を目的とする。【解決手段】点光源と、当該点光源が設けられる底部と、前記底部の対向する両辺部から外方向へ延設されて端部が開放された対向する一対の側方湾曲部とを有し、前記底部及び一対の前記側方湾曲部で囲まれた内部空間に対向する面が反射面で形成された反射フードと、前記一対の側方湾曲部の開放された端部によって形成される前記反射フードの開口部を塞ぐように、かつ、前記点光源に対向する位置に光拡散シートが備えられた構成の光源装置４とした。【選択図】図２
2013093190.tif 000002
【特許請求の範囲】
【請求項１】
点光源と、
前記点光源が設けられる底部と、前記底部の対向する両辺部から外方向へ延設されて端部が開放された対向する一対の側方湾曲部とを有し、前記底部及び一対の前記側方湾曲部で囲まれた内部空間に対向する面が反射面で形成された反射フードと、
前記一対の側方湾曲部の開放された端部によって形成される前記反射フードの開口部を塞ぐように、かつ、前記点光源に対向する位置に光拡散シートが備えられたことを特徴とする、光源装置。
【請求項２】
前記底部と前記光拡散シートとの間に、これらの間隔を保持するスペーサーが設けられていることを特徴とする、請求項１に記載の光源装置。
【請求項３】
前記反射フードは、反射率が高く、乱反射する反射材で形成されていることを特徴とする、請求項１又は２に記載の光源装置。
【請求項４】
前記反射フードは、超微細発泡の反射材からなることを特徴とする、請求項３に記載の光源装置。
【請求項５】
照明装置に取付ける略チャネル型の取付け部材のチャネルの奥部に、点光源を有する基板を取り付け、当該チャネルの開口部付近に、当該開口部を塞ぐように光拡散シートを取り付けて成ることを特徴とする、光源装置。
【請求項６】
前記光拡散シートは幅方向の略中央部に複数の透孔が間隔をあけて設けられていることを特徴とする、請求項１〜５のいずれかに記載の光源装置。
【請求項７】
前記光拡散シートは、幅方向の略中央部に前記光拡散シートの長手方向に沿ったスリットが設けられていることを特徴とする、請求項１〜５のいずれかに記載の光源装置。
【請求項８】
前記点光源は、１個の又は複数個の発光ダイオード、あるいはレーザーダイオードであることを特徴とする、請求項１〜７のいずれかに記載の光源装置。
【請求項９】
矩形状の２枚の第１及び第２の光拡散部材が所定の隙間をあけて対向して配設され、前記第１及び第２の光拡散部材の少なくとも一端辺の隙間に、請求項１〜８のいずれかに記載の光源装置が配設されていることを特徴とする、照明装置。
【請求項１０】
矩形状の光拡散部材及び反射率の高い反射フィルムが所定の隙間をあけて対向して配設され、前記光拡散部材及び前記反射部材の少なくとも一端辺の隙間に、請求項１〜８のいずれかに記載の光源装置が配設されていることを特徴とする、照明装置。
【請求項１１】
前記光拡散部材は、光反射率が前記点光源に近い側が高く、前記点光源から離れるに従い低減し、また、光透過率が前記点光源に近い側が低く、前記点光源から離れるに従い高くなることを特徴とする、請求項９又は１０に記載の照明装置。
【発明の詳細な説明】
【技術分野】
【０００１】
この発明は、光源装置及びこの光源装置を用いた照明装置に関するものである。
【背景技術】
【０００２】
近年、消費電力が少ない、チラツキが少ない、耐久性があり、長寿命である等の理由から、光源としてＬＥＤ(＝発光ダイオード)等の点光源を用いた照明装置が出現している。しかしながら、ＬＥＤは一般的に、正面光軸方向の光度が最大であり、光軸方向に対する角度が大きくなるに従い、光度が減少する指向特性を有している。そのため均一な面状照明光を得ることが必要な掲示器等の照明装置の光源として、ＬＥＤを用いる場合には、ＬＥＤの光を拡散させ、面状の表示面を均一に照射させる構成が必要となる。
【０００３】
そこで例えば、特許文献１では、内壁面が反射面で形成された反射フードと、点光源からの照射光を所定の方向へ偏向させる一対の第１、第２の光偏向反射板が備えられ、第１、第２の光偏向反射板は、反射フードの反射面との間に所定の隙間をあけ、且つ点光源の指向角零度を通る光軸を間に挟んで互いに所定の隙間をあけ、すなわち点光源に近接した方がその隙間が大きく、離れた方の隙間が小さくなるようにして、光軸に対してそれぞれ所定の傾斜角度αをなして配設されている光源装置の構成が示されている。
【特許文献１】特許第４５２８９１１号公報
【発明の開示】
【発明が解決しようとする課題】
【０００４】
しかしながら、特許文献１の光源装置では、反射フードに対して一対の第１、第２の光偏向反射板を、点光源に近接した方がその隙間が大きく、離れた方の隙間が小さくなるようにして、光軸に対してそれぞれ所定の傾斜角度αをなして配設する構成であるため、光源装置の構成が複雑になり、また光源装置の作製も難しく手間がかかることとなる。
【０００５】
そこで、この発明は、上記従来技術を考慮したものであって、構成が簡単で、また作製に手間のかからない光源装置及びその光源装置を用いた照明装置の提供を目的とするものである。
【課題を解決するための手段】
【０００６】
前記目的を達成するため、請求項１の発明では、点光源と、
前記点光源が設けられる底部と、前記底部の対向する両辺部から外方向へ延設されて端部が開放された対向する一対の側方湾曲部とを有し、前記底部及び一対の前記側方湾曲部で囲まれた内部空間に対向する面が反射面で形成された反射フードと、
前記一対の側方湾曲部の開放された端部によって形成される前記反射フードの開口部を塞ぐように、かつ、前記点光源に対向する位置に光拡散シートが備えられた光源装置とした。
【０００７】
請求項２の発明では、前記底部と前記光拡散シートとの間に、これらの間隔を保持するスペーサーが設けられている、請求項１に記載の光源装置とした。
【０００８】
請求項３の発明では、前記反射フードは、反射率が高く、乱反射する反射材で形成されている、請求項１又は２に記載の光源装置とした。
【０００９】
請求項４の発明では、前記反射フードは、超微細発泡の反射材からなる、請求項３に記載の光源装置とした。
【００１０】
請求項５の発明では、照明装置に取付ける略チャネル型の取付け部材のチャネルの奥部に、点光源を有する基板を取り付け、当該チャネルの開口部付近に、当該開口部を塞ぐように光拡散シートを取り付けて成る、光源装置とした。
【００１１】
請求項６の発明では、前記光拡散シートは幅方向の略中央部に複数の透孔が間隔をあけて設けられている、請求項１〜５のいずれかに記載の光源装置とした。
【００１２】
請求項７の発明では、前記光拡散シートは、幅方向の略中央部に前記光拡散シートの長手方向に沿ったスリットが設けられている、請求項１〜５のいずれかに記載の光源装置とした。
【００１３】
請求項８の発明では、前記点光源は、１個の又は複数個の発光ダイオード、あるいはレーザーダイオードである、請求項１〜７のいずれかに記載の光源装置とした。
【００１４】
請求項９の発明では、矩形状の２枚の第１及び第２の光拡散部材が所定の隙間をあけて対向して配設され、前記第１及び第２の光拡散部材の少なくとも一端辺の隙間に、請求項１〜８のいずれかに記載の光源装置が配設されている、照明装置とした。
【００１５】
請求項１０の発明では、矩形状の光拡散部材及び反射率の高い反射部材が所定の隙間をあけて対向して配設され、前記光拡散部材及び前記反射部材の少なくとも一端辺の隙間に、請求項１〜８のいずれかに記載の光源装置が配設されている、照明装置とした。
【００１６】
請求項１１の発明では、前記光拡散部材は、光反射率が前記点光源に近い側が高く、前記点光源から離れるに従い低減し、また、光透過率が前記点光源に近い側が低く、前記点光源から離れるに従い高くなる、請求項８又は９に記載の照明装置とした。
【発明の効果】
【００１７】
請求項１〜１１の発明によれば、点光源が設けられる底部と、前記底部の対向する両辺部から外方向へ延設されて端部が開放された対向する一対の側方湾曲部とを有し、前記底部及び一対の前記側方湾曲部で囲まれた内部空間に対向する面が反射面で形成された反射フードに、前記一対の側方湾曲部の開放された端部によって形成される前記反射フードの開口部を塞ぐように、かつ、前記点光源に対向する位置に光拡散シートが備えられた光源装置を用いる構成とすることによって、発光ダイオード等の指向性の強い点光源から発せられた光は、光拡散シートと反射フードの反射面との間で複数回反射した後、光拡散シートを透過して外部に放出される。そのため、点光源を用いても、光を特定の箇所に集中させることなく、分散させて光源装置から出射させることができる。また、光源装置の構成が簡単で、作製に手間がかからないため、便宜である。
【００１８】
また特に、請求項２の発明によれば、点光源が配設された底部と光拡散シートとの間に、スペーサーが設けられている構成としたため、点光源と光拡散シートとの間隔が変化することなく、所定の間隔を維持することができ、点光源からの光を光拡散シートによって適切に分散させることができる。
【００１９】
また特に、請求項３の発明によれば、点光源からの光を効率よく反射することができ、光の利用率を高めることができる。
【００２０】
また特に、請求項４の発明によれば、反射フードとして、超微細発泡の反射材を用いる構成としたため、材料の入手が簡単でしかも加工が容易となる。
【００２１】
また特に、請求項５の発明によれば、照明装置に光源装置を取り付けるための取付け部材に直接、光拡散シートを取り付けるため、光源装置の製造が極めて容易であり、さらに当該光源装置を照明装置に取付けるのも容易である。
【００２２】
また特に、請求項６及び７の発明によれば、光拡散シートに透孔あるいはスリットを設ける構成にすることによって、指向性の強い点光源からの光を特定の箇所に集中させることなく、分散させて光源装置から出射させることができると共に、光源装置から出射させる光の量を調節することができる。
【００２３】
また特に、請求項８の発明によれば、点光源として、発光ダイオード又はレーザーダイオードを用いる構成としたため、消費電力及びチラツキが少なくなり、また点光源の耐久性が高まる。
【００２４】
また特に、請求項９〜１１の発明によれば、従来の掲示器等で必要とされる導光板が不要となり、照明装置の軽量化及び低価格化を図ることが可能となる。また、掲示器等の照明装置の表示面の全面にわたり、均一な面状照明光を得ることができる。
【００２５】
また特に、請求項１０の発明によれば、照明装置の一方の面に光拡散部材を、他方の面に反射部材を配設する構成としたため、片面のみが表示面である照明装置等に用いることができ、便宜である。
【００２６】
また特に、請求項１１の発明によれば、光拡散部材の内側面に透過拡散フィルムを貼着する等して、光反射率が前記点光源に近い側が高く、前記点光源から離れるに従い低減し、また、光透過率が前記点光源に近い側が低く、前記点光源から離れるに従い高くなるように光拡散部材を構成することによって、掲示器等の照明装置の表示面の全面にわたり、より均一な面状照明光を得ることができる。
【発明を実施するための最良の形態】
【００２７】
この発明は、点光源と、前記点光源が設けられる底部と、前記底部の対向する両辺部から外方向へ延設されて端部が開放された対向する一対の側方湾曲部とを有し、前記底部及び一対の前記側方湾曲部で囲まれた内部空間に対向する面が反射面で形成された反射フードと、前記一対の側方湾曲部の開放された端部によって形成される前記反射フードの開口部を塞ぐように、かつ、前記点光源に対向する位置に光拡散シートが備えられた構成とすることによって、発光ダイオード等の指向性の強い点光源を用いても、光を特定の箇所に集中させることなく、分散させて光源装置から出射させることができる。
【実施例１】
【００２８】
図１は、照明装置１の全体を例示的に示す斜視図であり、図２は照明装置１を図１のＡ−Ａ線で切断した断面図である。照明装置１は、例えば鉄道のホーム等で掲示器として使用される照明装置であって、主として、対向する一対の長辺枠２a、２b及び短辺枠２c、２dとからなる額縁状の枠体２と、枠体２の前後の開口面に嵌め込まれた対向する長辺及び短辺を有する矩形状の表示パネル３とから構成された薄い箱型を成している。
【００２９】
照明装置１には、箱型内部の長辺枠２aに沿って、光源装置４が設けられている。また、各表示パネル３の内側面には透過拡散フィルム５が貼着されている。
【００３０】
枠体２は、例えばアルミ等の金属製である。表示パネル３は外側面に案内表示が印刷等されており、照明装置１の内側から出射する光を透過する、例えば半透明のガラス板あるいは合成樹脂製で、光拡散部材を構成している。
【００３１】
光源装置４は、図３〜６に示すように、複数の点光源６が設けられた基板７、反射フード８、スペーサー９、光拡散シート１０、螺子１１ナット２４とから構成されている。なお、図３は光源装置４内の点光源６の配設箇所を示す断面図であり、図４は光源装置４のスペーサー９の配設箇所を示す断面図である。また図５は光源装置４の構成要素を示した分解図であり、図６は光源装置４の底面図である。また図７は光源装置４の平面図である。
【００３２】
点光源６は、電力の供給を受けて発光する、例えば１個の又は複数個の発光ダイオード、又はレーザーダイオードであって、反射フード８の嵌合孔(後述)に合わせて、基板７上に略等間隔で一列に配設されている。このように、点光源６として、発光ダイオード又はレーザーダイオードを用いる構成とすれば、消費電力及びチラツキが少なくなり、また点光源６の耐久性が高まる。
【００３３】
更に、点光源６として使用する発光ダイオード又はレーザーダイオードの発光部には、光を集めるためのレンズを装着する構成としても良い。なお、発光ダイオードやレーザーダイオードは一般的に、正面光軸方向の光度が最大であり、光軸方向に対する角度が大きくなるに従い、光度が減少する指向特性を有している。また基板７は、図２に示すように、略チャネル型の取付け部材１５を用いて、枠体２の長辺枠２a下に固定されている。
【００３４】
反射フード８は、複数の嵌合孔(図示省略)が設けられている底部１２と、底部１２の対向する両辺部から外方向へ延設されて端部が開放された対向する一対の側方湾曲部１３を有し、断面が略半円形状となっている。また、底部１２及び一対の側方湾曲部１３で囲まれた内部空間に対向する面が反射面１４で形成されている。また、反射フード８の嵌合孔には夫々、発光部が露出するように点光源６が嵌め込まれている。
【００３５】
この反射フード８は、点光源６からの照射光を所定の方向に反射させる役割を果たすものである。そのため、反射フード８の反射面１４は、光吸収率が低く、高い反射率を有し、全反射だけでなく乱反射する材料で形成されることが望ましい。このように反射フード８を用いる構成とすることによって、点光源６からの光を効率よく反射でき、光の利用率を高めることができる。
【００３６】
具体的には例えば、反射フード８は、超微細発泡光反射材で形成され、光透過率１％、反射率９８％、吸光率１％の特性を有する超微細発泡光反射材で形成されることが望ましい。超微細発泡の光反射材を用いる構成とすれば、材料の入手が簡単でしかも加工が容易となる。
【００３７】
スペーサー９は、点光源６と光拡散シート１０との間隔を維持するためのものであり、例えばアルミ等の金属製である。
【００３８】
光拡散シート１０は、光の透過率を損なうことなく、高い光拡散性を有するものである。例えば、光拡散シート１０の光拡散率が９０％以上であることが望ましい。光拡散シート１０は、点光源６から光が照射されると、当該光の一部を反射し他の一部は透過させ、当該光を拡散させて外部に照射させる。なお、光拡散シート１０の「シート」の語は、紙状及び板状のものを含む概念であり、光拡散シート１０はそのいずれで構成されていても良い。
【００３９】
次に、図５を用いて、光源装置４の組立方法について説明する。点光源６が一列に配設されている基板７の貫通孔２８に、貫通孔２３を通じて反射フード８を挟持させながら、スペーサー９を、ナット２４を用いて螺着する。そして、スペーサー９の下端に設けられた螺子孔２５に、貫通孔２６を通じて光拡散シート１０を挟持させながら、螺子１１を螺着する。そして、上述したように、組み立てた光源装置４の基板７を、取付け部材１５を用いて、枠体２の長辺枠２a下に固定する(図２参照)。このように、点光源６と光拡散シート１０との間に、スペーサー９が設けられている構成としたため、点光源６と光拡散シート１０との間隔が変化することなく、所定の間隔を維持することができ、点光源６からの光を光拡散シート１０によって適切に分散させることができる。また、光源装置４の構成は簡単で、作製に手間がかからないため、便宜である。
【００４０】
透過拡散フィルム５は、図８に示すように表示パネル３と同様の形状を有し、図２に示すように、照明装置１の表示パネル３の内側面に、貼着されている。この透過拡散フィルム５は、受けた光を乱反射させる拡散性を有すると共に、所定の光透過率・光反射率を有し、更に光吸収率が少ない部材で形成されている。また、透過拡散フィルム５は、光源装置４の点光源６からの距離によって光反射率及び光透過率が異なるように構成されている。具体的には、図９に示すように、透過拡散フィルム５は、光透過性のフィルム１６と、フィルム１６上に、所定の規則性を持って配設された複数の反射ドット１７から構成されている。各反射ドット１７は、高反射率の反射材からなり、所定形状を有している。そして、反射ドット１７は点光源６に近い領域では面積が大きく、中間領域では面積が中くらいで、点光源６から遠く離れた領域では面積が小さく形成されている。そのため、光反射率は、光源装置４の点光源６から近い距離にある箇所は高く、点光源６から離れるに従って徐々に減少する。一方、光透過率は点光源６から近い距離にある箇所は低く、点光源６から離れるに従って徐々に高くなる。
【００４１】
このように、表示パネル３及び透過拡散フィルム５を用いる構成とすれば、従来の掲示器等で必要とされる導光板が不要となり、照明装置１の軽量化及び低価格化を図ることが可能となる。また、掲示器等の照明装置１の表示面の全面にわたり、より均一な面状照明光を得ることができる。
【００４２】
なお、本実施例では、点光源６からの距離によって反射ドット１７の面積を変化させる構成を示したが、この構成に限定されるものではない。例えば、図１０に示すように、透過拡散フィルム５は、透明な合成樹脂製のフィルム上に印刷等により高反射率の反射面を形成した反射フィルム１８上に、所定の規則性を持って、所定形状を有する複数の開口部１９を設ける構成としても良い。この開口部１９はエッチング等により設けられ、光を透過させる役割を果たす。そして、開口部１９は点光源６に近い領域では面積が小さく、中間領域では面積が中くらいで、点光源６から遠く離れた領域では面積が大きく形成されている。
【００４３】
次に、図２を用いて、照明装置１の作用を説明する。なお、図２では点光源６が省略されているが、点光源６は、反射フード８の底部１２に設けられている。電力の供給を受け、点光源６が光を照射すると、点光源６から照射された光は、反射フード８の反射面１４で反射されたものも含め、光拡散シート１０に照射する。光拡散シート１０に照射された光は、光拡散シート１０によって拡散され、光拡散シート１０を透過する。このように、点光源６からの光を光拡散シート１０に透過させて光源装置４から出射させる構成としたため、点光源６として、発光ダイオード等の指向性の強い光源を用いても、光を特定の箇所に集中させることなく、分散させて光源装置４から出射させることができる。
【００４４】
そして光源装置４から出射した光は、各表示パネル３の内側面に貼着された透過拡散フィルム５に照射する。透過拡散フィルム５は、光反射率が、光源装置４の点光源６から近い距離にある箇所は高く、点光源６から離れるに従って徐々に減少するように、また光透過率が、点光源６から近い距離にある箇所は低く、点光源６から離れるに従って徐々に高くなるように構成されているため、照明装置１の各表示パネル３の全面を内側から均一に照射することができる。
【００４５】
なお、本実施例においては、表示パネル３を枠体２の前後の開口面に設ける、すなわち表示パネル３が前後に設けられている照明装置１の構成を示したが、この構成に限定されるものではなく、表示パネル３が照明装置１の前後のいずれか一方にのみ設けられている構成としても良い。その場合には、照明装置１の表示パネル３に対向する内側面には、透過拡散フィルム５ではなく、反射率の高い反射フィルムを貼付する。
【００４６】
また、本実施例においては、長辺枠２aに沿って光源装置４を設ける構成を示したが、この構成に限定されるものではなく、光源装置４を長辺枠２b及び短辺枠２c、２dのいずれかに沿って設ける構成としても良い。例えば、光源装置４を短辺枠２cに沿って設ける場合には、図１１に示すように、光反射率は、光源装置４の点光源６から近い距離にある箇所は高く、点光源６から離れるに従って徐々に減少し、一方、光透過率は点光源６から近い距離にある箇所は低く、点光源６から離れるに従って徐々に高くなるように、透過拡散フィルム５が配設されている。即ち、透過拡散フィルム５は、光透過性のフィルム２１と、フィルム２１上に、所定の規則性を持って配設された複数の反射ドット２２とから構成されている。なお、反射ドット２２は、高反射率の反射材からなり、所定形状を有する。そして反射ドット２２は、点光源６に近い領域では面積が大きく、中間領域では面積が中くらいで、点光源６から遠く離れた領域では面積が小さく形成されている。
【００４７】
また本実施例では、反射フード８が凹湾曲している構成を示したが、必ずしも湾曲している必要はなく、多角折曲して凹部を設ける構成としても良い。
【００４８】
また本実施例では、光拡散シート１０が反射フード８に対して凸湾曲している構成を示したが、この構成に限定されるものではなく、側方湾曲部１３の開放された端部によって形成される反射フード８の開口部を塞ぐように、また点光源６に対向する位置に設けられる構成であれば良い。そのため例えば図１２に示すように、反射フード８に対して凹湾曲している構成として良い。また例えば図１３に示すように、光拡散シート１０は平らで湾曲していない構成としても良い。
【００４９】
更に、図１４及び図１５に示すように、光拡散シート１０の幅方向の略中央部に複数の透孔が間隔をあけて設けられている構成としても良い。又は、図１６に示すように、光拡散シート１０の幅方向の略中央部に光拡散シート１０の長手方向に沿ったスリットが設けられている構成としても良い。このように光拡散シート１０に透孔あるいはスリットを設ける構成とすることによって、指向性の強い点光源６からの光を特定の箇所に集中させることなく、分散させて光源装置４から出射させることができると共に、光源装置４から出射させる光の量を調節することができる。
【００５０】
また、図１７に示すように、光源装置４と対向するように長辺枠２ｂに沿って断面三角形の角柱形状又は断面半円の円柱形状の反射部材２７を設ける構成としても良い。このような構成すれば、光源装置４から出射し長辺枠２ｂにまで到達した光がこの反射部材２７で反射する。そのため両側の表示パネル３への光が増加し、光の利用率を高めることが可能となる。
【００５１】
また、本実施例においては、複数の点光源６が設けられた基板７、反射フード８、スペーサー９、光拡散シート１０、螺子１１、ナット２４とから構成されている光源装置４を組み立てて用いる構成を示したが、この構成に限定されるものではなく、例えば長辺枠２aに沿って、点光源６を配設し、この点光源６に対向するように、所定の間隔をあけて光拡散シート１０を照明装置１内に固定する構成としても良い。この場合、反射フード８を設けない。
【００５２】
この反射フード８を設けない例として、図１８に示すように、前記断面チャネル型の取付け部材１５に、点光源６を有する基板７が、実施例１と同様に、取り付けられ、さらに前記基板７の下方で、取付け部材１５のチャネルの開口部に近い下部の段部１５ａに、チャネルの開口部を塞ぐように前記光拡散シート１０が取り付けられた光源装置４としても良い。
【００５３】
これにより、点光源６の光は、光拡散シート１０で拡散されて、光源装置４から照射され、両側の表示パネル３に達する。また、この場合、光源装置４の構成も簡単で、部品点数も少なく、さらに照明装置への取付けも容易である。
【図面の簡単な説明】
【００５４】
【図１】この発明に係る実施例１の照明装置の全体を例示的に示す斜視図である。
【図２】この発明に係る実施例１の照明装置をＡ−Ａ線で切断した断面図である。
【図３】この発明に係る実施例１の光源装置内の点光源の配設箇所を示す断面図である。
【図４】この発明に係る実施例１の光源装置のスペーサーの配設箇所を示す断面図である。
【図５】この発明に係る実施例１の光源装置の構成要素を示した分解図である。
【図６】この発明に係る実施例１の光源装置４の底面図である。
【図７】この発明に係る実施例１の光源装置４の平面図である。
【図８】この発明に係る実施例１の表示パネルと透過拡散フィルムを示す説明図である。
【図９】この発明に係る実施例１の透過拡散フィルムの構成を示す説明図である。
【図１０】この発明に係る別の実施例の透過拡散フィルムの構成を示す説明図である。
【図１１】この発明に係る別の実施例の透過拡散フィルムの構成を示す説明図である。
【図１２】この発明に係る別の実施例の光源装置の反射フードの構成を示す断面図である。
【図１３】この発明に係る別の実施例の光源装置の反射フードの構成を示す断面図である。
【図１４】この発明に係る別の実施例の光拡散シートの構成を示す平面図であり、（ａ）図は各透孔が矩形形状のもの、（ｂ）図は各透孔が円形形状のものを示す。
【図１５】この発明に係る別の実施例の光源装置の構成を示す断面図である。
【図１６】この発明に係る別の実施例の光拡散シートの構成を示す平面図である。
【図１７】この発明に係る別の実施例の照明装置の構成を示す断面図であり、（ａ）図は反射部材が断面三角形の角柱形状のもの、（ｂ）図は反射部材が断面半円形の円形形状のものを示す。
【図１８】この発明の係る別の実施例の照明装置の構成を示す断面図である。
【符号の説明】
【００５５】
１：照明装置、２：枠体、３：表示パネル、４：光源装置、５：透過拡散フィルム、６：点光源、７：基板、８：反射フード、９：スペーサー、１０：光拡散シート、１１：螺子、１２：底部、１３：側方湾曲部、１４：反射面、１５：取付け部材、１６：フィルム、１７：反射ドット、１８：反射フィルム、１９：開口部、２１：フィルム、２２：反射ドット、２３：貫通孔、２４：ナット、２５：螺子孔、２６：貫通孔、２７：反射部材、２８：貫通孔
【図１】
2013093190.tif 000003
【図２】
2013093190.tif 000004
【図３】
2013093190.tif 000005
【図４】
2013093190.tif 000006
【図５】
2013093190.tif 000007
【図６】
2013093190.tif 000008
【図７】
2013093190.tif 000009
【図８】
2013093190.tif 000010
【図９】
2013093190.tif 000011
【図１０】
2013093190.tif 000012
【図１１】
2013093190.tif 000013
【図１２】
2013093190.tif 000014
【図１３】
2013093190.tif 000015
【図１４】
2013093190.tif 000016
【図１５】
2013093190.tif 000017
【図１６】
2013093190.tif 000018
【図１７】
2013093190.tif 000019
【図１８】
2013093190.tif 000020